(57)【要約】【課題】段ボール紙から折り上げた製品収納部とその周りに隙間空間を形成し、かつ、段ボール箱の蓋を開くと同時に製品収納部が迫り上がってくる様に工夫することにより、中から如何なる製品が出てくるかワクワク感を演出する様にした包装箱であって、製品収納部の周りの隙間空間を付属品の収納部として、又は緩衝体として機能させることにより別体の緩衝材を組み込む必要性が無い包装箱を提供することを目的とする。【解決手段】異形状の製品部段ボールと略直方体状の外箱部段ボールとが連設され、前記製品部段ボールから折り上げられた製品収納部の対向する側片と前記外箱部段ボールから折り上げられた外箱の対向する蓋面同士とが連設され、前記外箱の内方上部に前記製品収納部が形成された包装箱であって、前記外箱は折り上げられて直方体状に形成され、かつ、前記製品部段ボールの底片に対して四方の側片を立設させることにより窪みを有する製品収納部が形成されることを特徴とする包装箱である。【選択図】図１０
2008254766.tif 000002
【特許請求の範囲】
【請求項１】
異形状の製品部段ボールと略直方体状の外箱部段ボールとが連設され、
前記製品部段ボールから折り上げられた製品収納部の対向する側片と前記外箱部段ボールから折り上げられた外箱の対向する蓋面同士とが連設され、
前記外箱の内方上部に前記製品収納部が形成された包装箱であって、
前記外箱は折り上げられて直方体状に形成され、
かつ、前記製品部段ボールの底片に対して四方の側片を立設させることにより窪みを有する製品収納部が形成されることを特徴とする包装箱。
【請求項２】
異形状の製品部段ボールと略直方体状の外箱部段ボールとが連設され、
前記製品部段ボールから折り上げられた製品収納部の対向する側片と前記外箱部段ボールから折り上げられた外箱の対向する蓋面同士とが連設され、
前記外箱の内方上部に前記製品収納部が形成された包装箱であって、
前記外箱は折り上げられて直方体状に形成され、
かつ、前記外箱の側面と前記製品収納部との空間に付属品収納部が形成されることを特徴とする包装箱。
【請求項３】
前記製品部段ボールと前記外箱部段ボールとが一体連接してなることを特徴とする請求項１又は２記載の包装箱。
【請求項４】
前記製品部段ボールと前記外箱部段ボールとが貼着してなることを特徴とする請求項１記載又は２記載の包装箱。
【請求項５】
前記外箱の前記対向する蓋面を開蓋することにより、
これらの前記対向する蓋面と連設した前記対向する側片に追動して前記製品収納部が迫り上がることを特徴とする請求項１又は２記載の包装箱。
【請求項６】
前記製品収納部の背面側において、前記外箱の側面に沿って断面コ字状のパット体が形成され、
前記外箱の前記対向する蓋面を開蓋することにより、
この前記対向する蓋面に追動して前記製品収納部が迫り上がるとともに、
前記製品収納部は前記パット体によって着脱可能に支持されることを特徴とする請求項１又は２記載の包装箱。
【請求項７】
前記外箱の底面に複数のフラップが立設され、
前記対向する蓋面を開蓋することにより、
この前記対向する蓋面と連設した前記対向する側片に追動して前記製品収納部が迫り上がるとともに、
この製品収納部は、前記複数のフラップによって着脱可能に支持されることを特徴とする請求項１又は２記載の包装箱。
【請求項８】
前記製品収納部の前記対向する側片から複数のリブが底面に当接する様に立設され、
かつ、前記製品収納部は前記リブによって支持されることを特徴とする請求項１又は２記載の包装箱。
【請求項９】
前記対向する蓋面の背面に、断面コ字状の角状体が形成されることを特徴とする請求項１又は２記載の包装箱。
【請求項１０】
前記製品部段ボールと前記外箱部段ボールとが一体連設され、
前記製品部段ボールを対称に等分する畳み折り目を備え、
前記外箱部段ボールには２本の畳み折り目を備え、
かつ、これらの折り目の部位から折れ曲がるように折畳体が形成されることを特徴とする請求項１又は２記載の包装箱。
【発明の詳細な説明】
【技術分野】
【０００１】
この発明は、包装箱を開梱する際、蓋を開くと中から製品が迫り上がる包装箱に関する。詳しくは、段ボールを折り曲げることにより、製品収納部を形成するとともにこの周囲に緩衝用の空間を形成した段ボール包装箱であって、蓋を開くと製品が迫り上がる様に工夫することによって、中から如何なる製品が出てくるかワクワク感を演出する様にした段ボール包装箱に関する。
【背景技術】
【０００２】
デジタルカメラ等小型の電気製品からプリンター、ファックス等大型の電気製品に至るまで、これらの製品は段ボール製の包装箱に梱包されている。通常、この包装箱は製品収納部とこの周囲の隙間空間からなり、この隙間空間に段ボール箱とは別体の緩衝材を詰め込む。このような場合、包装箱の中から製品を取り出すに際し、先ず、別体の緩衝材を取除き、その後で中から製品を取り出すことになり手間がかかって面倒である。
【発明の開示】
【発明が解決しようとする課題】
【０００３】
従来の段ボール製の包装箱では、段ボール箱の中から製品を取り出すにあたり、先ず、別体の緩衝材を取除いた後に中から製品を取り出すことになるので手間がかかり面倒であり、中から如何なる製品が出てくるか、ワクワク感を演出するようなことが無い。また、中の製品が別体の緩衝材を介して底に載置されているだけなので、外方からの衝撃に対して製品を十分には保護できない。
【０００４】
そこで、本発明は、上記事情に鑑みて、段ボール紙から折り上げた製品収納部とその周りに隙間空間を形成し、かつ、段ボール箱の蓋を開くと同時に製品収納部が迫り上がってくる様に工夫することにより、中から如何なる製品が出てくるかワクワク感を演出する様にした包装箱であって、製品収納部の周りの隙間空間を付属品の収納部として、又は緩衝体として機能させることにより別体の緩衝材を組み込む必要性が無い包装箱を提供することを目的とする。
【課題を解決するための手段】
【０００５】
上記目的を達成するために、請求項１の包装箱は、異形状の製品部段ボールと略直方体状の外箱部段ボールとが連設され、前記製品部段ボールから折り上げられた製品収納部の対向する側片と前記外箱部段ボールから折り上げられた外箱の対向する蓋面同士とが連設され、前記外箱の内方上部に前記製品収納部が形成された包装箱であって、前記外箱は折り上げられて直方体状に形成され、
かつ、前記製品部段ボールの底片に対して四方の側片を立設させることにより窪みを有する製品収納部が形成されることを特徴とする。また、請求項２は、異形状の製品部段ボールと略直方体状の外箱部段ボールとが連設され、前記製品部段ボールから折り上げられた製品収納部の対向する側片と前記外箱部段ボールから折り上げられた外箱の対向する蓋面同士とが連設され、前記外箱の内方上部に前記製品収納部が形成された包装箱であって、前記外箱は折り上げられて直方体状に形成され、かつ、前記外箱の側面と前記製品収納部との空間に付属品収納部が形成されることを特徴とする。請求項３は、請求項１又は２項の発明の上記特徴に加えて、前記製品部段ボールと前記外箱部段ボールとが一体連接してなることを特徴とし、請求項４は、前記製品部段ボールと前記外箱部段ボールとが貼着してなることを特徴とする。また、請求項５は、請求項１又は２項の発明の上記特徴に加えて、前記外箱の前記対向する蓋面を開蓋することにより、これらの前記対向する蓋面と連設した前記対向する側片に追動して前記製品収納部が迫り上がることを特徴とし、請求項６は、前記製品収納部の背面側において、前記外箱の側面に沿って断面コ字状のパット体が形成され、
前記外箱の前記対向する蓋面を開蓋することにより、この前記対向する蓋面に追動して前記製品収納部が迫り上がるとともに、前記製品収納部は前記パット体によって着脱可能に支持されることを特徴とする。また、請求項７は、請求項１又は２項の発明の上記特徴に加えて、前記外箱の底面に複数のフラップが立設され、前記対向する蓋面を開蓋することにより、この前記対向する蓋面と連設した前記対向する側片に追動して前記製品収納部が迫り上がるとともに、この製品収納部は、前記複数のフラップによって着脱可能に支持されることを特徴とし、請求項８は、前記製品収納部の前記対向する側片から複数のリブが底面に当接する様に立設され、かつ、前記製品収納部は前記リブによって支持されることを特徴とする。そして、請求項９は、請求項１又は２項の発明の上記特徴に加えて、前記対向する蓋面の背面に、断面コ字状の角状体が形成されることを特徴とし、請求項１０は、前記製品部段ボールと前記外箱部段ボールとが一体連設され、前記製品部段ボールを対称に等分する畳み折り目を備え、前記外箱部段ボールには２本の畳み折り目を備え、かつ、これらの折り目の部位から折れ曲がるように折畳体が形成されることを特徴とする。
【発明の効果】
【０００６】
本発明にかかわる段ボール包装箱によれば、小型のデジタルカメラからプリンター等大型の電気製品を包装するにあたり、蓋を開くと中から製品が迫り上がってくることによって、中から如何なる製品が出てくるかワクワク感を演出する。また、製品収納部の周囲に隙間空間からなる付属品収納部を形成することにより、付属品を収納するとともに外部からの衝撃に対し製品を護る緩衝体としての機能を有する。更に、中から製品を迫り上げる時製品収納部の背面側から支持することができ、あるいは梱包時に製品収納部をこの背面側から支持するリブが緩衝体としての機能を有する。その他、包装箱へ折り上げる前に二つ折りに扁平状に折畳み可能であり、コンパクトにして収納でき、輸送の便利等の機能性に優れた効果を奏するものである。
【発明を実施するための最良の形態】
【０００７】
本発明の実施の形態を、添付図面に示した本発明の実施例に基づいて以下に具体的に説明する。
【実施例１】
【０００８】
本発明の実施例１について、図１〜図６を参照しながら説明する。図１は包装箱の展開図で製品部段ボール１００Ａ１である。図２は包装箱の展開図で外箱部段ボール１００Ａ２である。図３は製品部段ボール１００Ａ１を上方から外箱部段ボール１００Ａ２へ貼着した状態を示す。図４は製品部を上方から外箱部へ押込む状態を示す。図５は製品部を上方から外箱部へ押込み完了した状態を示す一部破断面図である。図６は外箱部の蓋を開けて製品部を迫上げる状態を示す。
【０００９】
製品部の展開図である製品部段ボール１００Ａ１は、図１に示す様に上下左右対称の異形状で、上下方向に左方から折り目Ａ、Ｂ、Ｂ、Ａが平行に刻まれ、一方、左右方向に上方から折り目Ｃ、Ｃが平行に刻まれる。また、折り目Ｂ、Ｃ、Ｂ、Ｃにより囲まれた底片３の四隅から外方へ放射状に折り目Ｄ、Ｄ、Ｄ、Ｄが刻まれる。製品部の展開図は、以上の折り目に囲まれる各種の片から構成される。底片３の上下に側片４、４が連接し、底片３の左右に側片２、２、更にこれらの外側に側片１、１が連接する。そして、底片３の四隅の外側上下に隅片５、５、５、５が位置する。
【００１０】
一方、外箱の展開図である外箱部段ボール１００Ａ２は図２に示す様に、上下対称の略矩形状で、上下方向に左方から畳み折り目Ｅ、Ｆ、Ｇ、Ｈが平行に刻まれ、一方、左右方向に折り目Ｊ、Ｊが平行に刻まれる。外箱の展開図は、以上の折り目に囲まれる様に各種の面から構成される。この外箱の展開図の上段は蓋面、中段は側面、下段は底面から構成される。そして、夫々上方から上段は左方から蓋面２１、２２、２３、２４が連接し、中段は左方から側面２５、２６、２７、２８が連接し、下段は左方から底面３１、３２、３３、３４が連接する。その他、側面２８の右方は、折り目Ｈを介して側片２８１が位置する。
【００１１】
なお、図中の点線は折り目を示し、輪郭内の実線は切れ目を示す。その他、実施例に示す円形、矩形、四半円形と細長いスリット状の切抜き穴は、フラップを直立させるために指を挿入するための覗き穴又は貼着時の目印である。以上は、他の実施例についても同様である。
【００１２】
二種の段ボールの構成は以上の通りであり、以下に製品部段ボール１００Ａ１及び外箱部段ボール１００Ａ２から包装箱５００Ａへ折上げる手順について説明する。更に、折上げの各種態様において包装箱としての使い方及びその作用について説明する。
【００１３】
先ず、外箱部段ボール１００Ａ２において、側面２５、２６、２７、２８を四角に囲う様に折れ目Ｅ、Ｆ、Ｇの部位から折り曲げ、最後に側面２８端部の貼着片２８１を折り目Ｈの部位から折り曲げて隣合う側面２５の端部内側に貼着して四面の囲いを作る。次に、対向する底面２１、２３を折り目Ｊの部位から内側へ直角に折り曲げ、その上に重ねる様に対向する底面２２、２４を折り目Ｊの部位から内側へ直角に折り曲げ、その後で、底面２２、２４の突合せ部を覆う様にテープにより貼着して外箱３００Ａの底部を完成する。次いで上方から製品部段ボール１００Ａ１の対向する側片１、１を、上方から外箱部段ボール１００Ａ２の対向する蓋面２１、２３の先端部に位置決めし、側片１を蓋面２１に貼着し、同様に他方の側片１を蓋面２３に貼着する。このようにして、外箱部段ボールと製品部段ボールとは連設され、本実施例では貼着による連設構造である。図３に示す様に、外箱３００Ａの蓋面の上に製品部段ボール１００Ａ１が底片３を中央にして懸架した状態になる。
【００１４】
この状態から、底片３を下方へ押すと、側片２、２と側片４、４及び左右の側片１、１も折り目Ｂ、Ｃ、Ｂ、Ｃ及び折り目Ａ、Ａの部位から追動する様に折れて、ともに下方へ沈む。即ち、中央の底片３が下方へ押されて窪むと同時に、周囲の側片２、２及び側片４、４が立設されるので、窪みを有する製品収納部Ｚ１が形成される。同時に、四隅の隅片５も折り目Ｂ、Ｄの部位から折れ曲がる。この時、左右の側片１、１に追動する様に、裏側の貼着された左右蓋面２１、２３も外箱部段ボールの折り目Ｊ、Ｊ（図６を参照）の部位から立ち上がって矢印ＸＸ、ＸＸの様に中央へ寄ってくる。この状態を図４に示す。更に、底片３を下方へ押し続けると、製品収納部Ｚ１が外箱３００Ａの中へ沈み、この上から左右の蓋面２１、２３が覆い被さる様に外箱３００Ａを閉じる。ここで、外箱３００Ａとは製品収納部Ｚ１を左右上下から囲む箱であり、他の実施例についても同様である。この時、四隅の隅片５は、夫々左右の側片２、２の端部で相接する様に折れ曲がる。この状態を蓋面を一部破断した図５として示す。図に示す様に、窪んだ製品収納部Ｚ１を中央にして、この製品収納部Ｚ１と外箱３００Ａの側面２６、２８とで囲まれる空間に、前後に付属品収納部Ｙ１、Ｙ１が形成される。ここで、製品を底片に載置すると、製品の自重又は梱包作業者の押す手によって底が沈む一方、側面は立ち上り、これに追動して外箱の蓋面が閉じる。
【００１５】
以上の様にして、包装箱５００Ａは折り上げられる。この包装箱５００Ａに製品を梱包する場合は、先ず、製品収納部Ｚ１の底片３の上に例えば製品のデジタルカメラを載置する。そして、図５に示す様に底辺３を下方へ押すのに伴って側片２、２及び側片４、４が立ち上がって窪みを有する製品収納部Ｚ１が形成される。その他、付属品収納部Ｙ１、Ｙ１にカメラの各種付属部品例えば、アダプター、バッテリー、コネクター、ケーブル、接続コードや取り扱い説明書等を装入する。これらの作業が終わったら、製品のデジタルカメラを上から押して左右の蓋面２１、２３を閉じ、次いで前後の蓋面２２、２４を閉じて梱包を終了する。
【００１６】
一方、包装箱を開梱する状態を図６に示す。外箱３００Ａの蓋面２２、２４を前後へ開いた後、左右の蓋面２１、２３を折り目Ｊ、Ｊを軸として矢印ＹＹ、ＹＹの方向に開蓋すると、これらの蓋面２１、２３に貼着された左右の蓋片１、１が追動する。同時に、蓋片１、１と連接する底片３及び周囲の側片２、２と側片４、４も上がる。この様にして、底片３の上に載っている製品が迫り上がって何が出るか楽しみな瞬間を演出することができる。
【００１７】
本実施例の発明のものは、中央の製品収納部Ｚ１と外箱３００Ａとの間の隙間空間に形成される付属品収納部Ｙ１、Ｙ１に付属品が収納される他、これらの隙間空間は外部の衝撃から中のデジタルカメラを護る緩衝体としての機能を有する。また、底片３と外箱３００Ａの底面との間に形成される空間も同様に、中のデジタルカメラを護る緩衝体としての機能を有する。この様に、二種の段ボールから、製品収納部及び付属品収納部が形成され、一方これらは緩衝体としての作用を有する等多機能を有する段ボール製の包装箱となる。更に、包装箱５００Ａを開梱する時、蓋面を開くと同時に製品が迫り上がってくるので何が出るかワクワク感を高揚させる機能をも持ち合わせている。また、包装箱の中に製品収納部とその周りの隙間空間が緩衝体としての機能を有するので、別体の緩衝材を組み込む必要性が無い等の効果を奏する。
【実施例２】
【００１８】
本発明の実施例２について、図７〜図１１を参照しながら説明する。図７は包装箱の展開図で製品部段ボール１００Ｂ１である。図８は包装箱の展開図で外箱部段ボール１００Ｂ２である。図９は製品部を上方から外箱部へ押込み完了した状態を示す一部破断面図である。図１０は外箱部の蓋を開けて製品部を迫上げる状態を示す。図１１は製品部と外箱部を貼着したまま折畳んだ状態を示す。
【００１９】
本実施例の実施例１との主たる相違点は、製品部段ボール１００Ｂ１を外箱部段ボール１００Ｂ２の内側に貼着した後、製品部段ボール１００Ｂ１及び外箱部段ボール１００Ｂ２の夫々の展開図の中心折り目の部位から扁平状に折畳むことができるところにある。
【００２０】
製品部の展開図である製品部段ボール１００Ｂ１は、図７に示す様に上下左右対称の略矩形状で、上下方向に左方から折り目Ａ、Ｂ、Ｂ、Ａが平行に刻まれ、一方、左右方向に上方から折り目Ｃ、Ｃが平行に刻まれる。そして、この展開図の左右対称の中央に上下方向に貫通する畳み折り目ＢＢが刻まれる。また、折り目Ｂ、Ｃ、Ｃ、Ｂ、Ｃ、Ｃにより囲まれた底片の四隅から外方へ放射状に折り目Ｄ、Ｄ、Ｄ、Ｄが刻まれる。製品部の展開図は、以上の折り目に囲まれる各種の片から構成される。そして、中央の折り目に囲まれる様に底片が形成され、この底片が前記畳み折り目ＢＢによって左右に等分割され底片３１Ｂ、３１Ｂが連接する。同様に、畳み折り目ＢＢによって左右に等分割され、上方に側片４１Ｂ、４１Ｂが連接し、同様に等分割され下方に側片４１Ｂ、４１Ｂが連接する。また、底面３１Ｂ、３１Ｂの左右に側片２、２、これらの外側に側片１、１が連接する。そして、左右の底片３１Ｂ、３１Ｂの四隅の外側上下に隅片５Ｂ、５Ｂ、５Ｂ、５Ｂが位置し、夫々図示の外辺５１Ｂの様に面取りされ傾斜しており、後述する折り畳みの時にこれらの面取りのため折り易くなる。このことは、外辺を有する他の実施例についても同様である。
【００２１】
一方、外箱の展開図である外箱部段ボール１００Ｂ２は図８に示す様に、略矩形状の上下対称で、上下方向に左方から折り目Ｅ、Ｆ、Ｇが平行に刻まれ、一方、左右方向に折り目Ｊ、Ｊが平行に刻まれる。そして、この展開図の折り目Ｅ、Ｆの間を等分割する様に上下方向に畳み折り目ＥＦを刻み、同様に左方に折り目Ｇ、Ｈの間を等分割する様に上下方向に畳み折り目ＧＨを刻む。外箱の展開図は、以上の折り目に囲まれる様に各種の面から構成される。この外箱の展開図の上段は蓋面、中段は側面、下段は底面から構成される。そして、夫々上方から上段は左方から蓋面２１、２２Ｂ、２２Ｂ、２３、２４Ｂ、２４Ｂが連接し、中段は左方から側面２５、２６Ｂ、２６Ｂ、２７、２８Ｂ、２８Ｂが連接し、下段は左方から底面３１、３２Ｂ、３２Ｂ、３３、３４Ｂ、３４Ｂが連接する。なお、前記の上段の蓋面２２Ｂ、２２Ｂは、上下に貫通する畳み折り目ＥＦにより等分割され、中段の側面２６Ｂ、２６Ｂ及び下段の底面２２Ｂ、２２Ｂについても同様である。左方についても、上下に貫通する畳み折り目ＥＦにより等分割され、上段の蓋面２４Ｂ、２４Ｂ、中段の側面２８Ｂ、２８Ｂ及び下段の底面２４Ｂ、２４Ｂが連接する。その他、側面２８の右方は、折り目Ｈを介して貼着片２８１が位置する。
【００２２】
二種の段ボールの構成は以上の通りであり、以下に製品部段ボール１００Ｂ１及び外箱部段ボール１００Ｂ２から包装箱５００Ｂへ折上げる手順の他、包装箱としての使い方及びその作用について、主に実施例１と異なる事項について説明する。
【００２３】
折上げる手順は実施例１と略同様である。製品部段ボール１００Ｂ１を上方から外箱部段ボール１００Ｂ２に貼着した後、底片３を下方へ押し続けると、製品部段ボールの各片が外箱３００Ｂの中へ沈み、この上から左右の蓋面２１、２３が覆い被さる様に外箱３００Ｂを閉じる。この状態を蓋面の一部を破断した図９に示す様に、製品収納部Ｚ２を中央にして、この製品収納部Ｚ２と外箱３００Ｂの前後側面によって囲まれる様に、前後に付属品収納部Ｙ２、Ｙ２が形成される。ここで、製品収納部Ｚ２の底面は、畳み折り目ＢＢによって等分割された底片３１Ｂ、３１Ｂからなる。
【００２４】
一方、製品を梱包した包装箱５００Ｂを開梱する状態を図１０に示す。外箱３００Ｂの蓋面２２Ｂ、２２Ｂ、２４Ｂ、２４Ｂを前後へ開いた後左右の蓋面２１、２３を矢印ＹＹ、ＹＹの方向に開くと、これらの蓋面２１、２３に貼着された左右の蓋片１、１が追動する。同時に、蓋片１、１と連接する底片及び周囲の側片２、２と側片も上がる。この様にして、底片３１Ｂ、３１Ｂの上に載っている製品が迫り上がる。ここで、図示の様に、製品部段ボール１００Ｂ１の左右中心部の畳み折り目ＢＢと外箱部段ボール１００Ｂ２の外箱部段ボール１００Ｂ２の畳み折り目ＥＦ、ＧＨの線が一直線上に並び、これらの畳み折り目の部位から折畳まれて後述する折畳体ＷＨが形成される。
【００２５】
一方、製品を梱包する前に包装箱を一時畳んで収納することが可能である。即ち、製品部段ボール１００Ｂ１を外箱部段ボール１００Ｂ２に貼着した後、折畳むことが可能である。先ず、外箱の底面を解放して開き、製品部段ボール１００Ｂ１の裏側から中央の畳み折り目ＢＢの部位を上方へ押す。このことにより、製品部段ボール１００Ｂ１は左右の折り目Ａ、Ａの部位から折れて、畳み折り目ＢＢの部位が外方へ山形に膨らむ。次いで、外箱３００Ｂの側面の畳み折り目ＥＦ及びＧＨの部位を外側左右方向へ開く。この様にして、前後が重なる様に折畳まれ、この状態を図１１に示す。この図では、製品部段ボールの畳み折り目ＢＢを上方に、外箱部段ボールの中央畳み折り目ＥＦを左方に、そして外箱部段ボールの中央畳み折り目ＧＨを右に示す。このような扁平にしたコンパクトの状態で一時保管し、しかもこれらを多数枚重ねて輸送することが可能である。
【実施例３】
【００２６】
次に、本発明の実施例３について、図１２〜図１８を参照しながら説明する。図１２は包装箱の展開図で製品部段ボール１００Ｈ１である。図１３は包装箱の展開図で外箱部段ボール１００Ｈ２である。図１４はパットの展開図で段ボール１００Ｈ３である。図１５は製品部を上方から外箱部へ押込み完了した状態を示す一部破断面図である。図１６は外箱部の蓋を開けて製品部を迫上げる状態を示す。図１７は製品部を迫り上げる時の、外箱部の底面側から製品収納部を支える状態を示す。図１８は製品部を迫り上げる時の、外箱部の底面側から製品収納部を支える状態を示す。
【００２７】
本実施例の実施例１との主たる相違点は、迫り上げる時に製品収納部はこの背面側からパット体によって支持され、また、製品を包装箱に梱包した時に製品収納部はこの背面側からリブによって支持されるところにある。
【００２８】
製品部の展開図である製品部段ボール１００Ｈ１は、図１２に示す様に上下左右対称の略矩形状で、上下方向に左方から折り目Ａ、Ｂ、Ｂ、Ａが平行に刻まれ、一方、左右方向に上方から折り目Ｃ、Ｃが平行に刻まれる。そして、この展開図の左右対称の中央に上下方向に貫通する畳み折り目ＢＢが刻まれる。また、折り目Ｂ、Ｃ、Ｂ、Ｃにより囲まれた底片の四隅から外方へ放射状に折り目Ｄ、Ｄ、Ｄ、Ｄが刻まれる。製品部の展開図は、以上の折り目に囲まれる各種の片から構成される。そして、中央の折り目に囲まれる様に底片が形成され、この底片が前記畳み折り目ＢＢによって左右に等分割され底片３１Ｈ、３１Ｈが連接する。同様に、畳み折り目ＢＢによって左右に等分割され、上方に側片４１Ｈ、４１Ｈが連接し、同様に等分割され下方に側片４１Ｈ、４１Ｈが連接する。側片４１Ｈ、４１Ｈの中央寄りに突き出るようにリブ４１１Ｈ、４１１Ｈを設け、底片３１Ｈ、３１Ｈの外方寄りで折り目Ｂ上に窓３５０Ｈ、３５０Ｈを設ける。また、底面３１Ｈ、３１Ｈの左右に側片２Ｈ、２Ｈが、これらの外側に側片１Ｈ、１Ｈが連接する。そして、左右の底片３１Ｈ、３１Ｈの四隅の外側上下に隅片５Ｈ、５Ｈ、５Ｈ、５Ｈが位置する。
【００２９】
一方、外箱の展開図である外箱部段ボール１００Ｈ２は図１３に示す様に、略矩形状の上下対称で、上下方向に左方から折り目Ｅ、Ｆ、Ｇが平行に刻まれ、一方、左右方向に上方から折り目Ｊ、Ｊが平行に刻まれる。そして、この展開図の畳み折り目Ｅ、Ｆの間を等分割する様に上下方向に畳み折り目ＥＦを刻み、同様にこれらの左方に畳み折り目ＧＨの間を等分割する様に上下方向に畳み折り目ＧＨを刻む。外箱の展開図は、以上の折り目に囲まれる様に各種の面から構成される。この外箱の展開図の上段は蓋面、中段は側面、下段は底面から構成される。そして、夫々上方から上段は左方から蓋面２１Ｈ、２２Ｈ、２２Ｈ、２３Ｈ、２４Ｈ、２４Ｈが連接し、中段は左方から側面２５、２６Ｈ、２６Ｈ、２７、２８Ｈ、２８Ｈが連接し、下段は左方から底面３１Ｈ、３２Ｈ、３２Ｈ、３３、３４Ｈ、３４Ｈが連接する。なお、前記の上段の蓋面２２Ｈ、２２Ｈは、上下に貫通する畳み折り目ＥＦにより等分割され、中段の側面２６Ｈ、２６Ｈ及び下段の底面２２Ｈ、２２Ｈについても同様である。左方についても、上下に貫通する畳み折り目ＥＦにより等分割され、上段の蓋面２４Ｈ、２４Ｈ、中段の側面２８Ｈ、２８Ｈ及び下段の底面２４Ｈ、２４Ｈが連接する。その他、側面２８Ｈの右方は、折り目Ｈを介して貼着片２８１が位置する。また、蓋面２１Ｈの折り目Ｊに沿って窓４５１Ｈを備え、底面３１Ｈに折り目Ｕ１を介してストッパー４４０Ｈを備える。
【００３０】
また、パットの展開図であるパット段ボール１００Ｈ３は図１４に示す様に、矩形状で上下方向に左方から折り目Ｔ１、Ｔ２が平行に刻まれ、これらの折り目を介して中央のパット片６１の両側のパット片６２、６３が連接する。
【００３１】
三種の段ボールの構成は以上の通りであり、以下に製品部段ボール１００Ｈ１、外箱部段ボール１００Ｈ２及びパット段ボール１００Ｈ３から包装箱５００Ｈへ折上げる手順の他、包装箱としての使い方及びその作用について、主に実施例１と異なる事項について説明する。
【００３２】
折上げる手順は実施例２と略同様である。製品部段ボール１００Ｈ１を上方から外箱部段ボール１００Ｈ２に貼着した後、底片３１Ｈ、３１Ｈを下方へ押し続けると、製品部段ボールの各片が外箱３００Ｈの中へ沈み、この上から左右の蓋面２１Ｈ、２１Ｈ及び蓋面２３Ｈ、２３Ｈが覆い被さる様に外箱３００Ｈを閉じる。この状態を蓋面の一部を破断した図１５に示す様に、製品収納部Ｚ３を中央にして、この製品収納部Ｚ３と外箱３００Ｈの前後側面によって囲まれる様に、前後に付属品収納部Ｙ３、Ｙ３が形成され、左方に付属品収納部Ｘ３が形成される。ここで、製品収納部Ｚ３の底面は、畳み折り目ＢＢによって等分割された底片３１Ｈ、３１Ｈからなる。また、図１４のパット片６１を底にして両側のパット片６２、６３が断面コ字状に立ち上がったパットＵＨの付属品収納部Ｘ３が形成され、これが左方に見え、これは、付属品を収納するパット体ＵＨの機能の１つである。
【００３３】
一方、製品を梱包した包装箱５００Ｈを開封して製品を中から迫上げる状態を図１６に示す。外箱３００Ｂの蓋面２２Ｈ、２２Ｈ、２４Ｈ、２４Ｈを前後へ開いた後左右の蓋面２１Ｈ、２３Ｈを矢印ＹＹ、ＹＹの方向に開くと、これらの蓋面２１Ｈ、２３Ｈに貼着された左右の蓋片１Ｈ、１Ｈが追動する。同時に、蓋片１Ｈ、１Ｈと連接する底片及び周囲の側片２Ｈ、２Ｈと側片も上がる。この様にして、底片３１Ｈ、３１Ｈの上に載っている製品が迫り上がる。ここで、図示の様に、製品部段ボール１００Ｈ１の左右中心部の畳み折り目ＢＢと外箱部段ボール１００Ｈ２の外箱部段ボール１００Ｈ２の畳み折り目ＥＦ、ＧＨの線が一直線上に並び、これらの畳み折り目の部位から折畳まれて後述する折畳体ＷＨが形成される。
【００３４】
パット体ＵＨの機能の２として、製品を迫上げる時に製品収納部Ｚ３をこの背面側から支持する手段となり、外箱３００Ｈの底面を開いて底側から見た状態を図１７に示す。外箱３００Ｈの内側中央部に製品収納部を裏側から見た状態を示し、畳み折り目ＢＢの左右に底片３１Ｈ、３１Ｈが見え、その上方に側片４１Ｈに備えるリブ４１１Ｈが見え、同様に下にも４１１Ｈが見える。パット体ＵＨは、図示のようにパット片６１から両側へパット片６２、６３が折れ下がった断面コ字状体である。包装箱５００Ｈを開封する際、製品収納部Ｚ３を迫上げる時にパット体ＵＨのパット片６３は蓋面の開きに追動して折り目Ｔ２の部位から中央側へ開き、リブ４１１Ｈに当たって止まる。ここで、リブ４１１Ｈはパット片６３が中央へ寄るのを防ぐためのストッパーの機能を有する。このようにして、製品収納部Ｚ３はこの背面側からパット体ＵＨのパット片６３によって支持される。なお、製品を中に梱包してパット体ＵＨを前述した付属品を収納するために使用する時は、底片の表側から窓４５０Ｈに指を入れてパット片６３をリブ４１１Ｈの位置から外箱の側面側へ寄せて断面コ字状体を形成する。この時、外箱の底面３１Ｈを閉じながら、底面３１Ｈに備えるストッパー４４０Ｈを折り目Ｕ１の部位から起こすことにより、ストッパー４４０Ｈがストッパーの作用をしてパット片６３がリブ４１１Ｈ寄りに開くのを防止する。一方、製品を梱包して外箱の四方の底面を閉じると、４箇所のリブ４１１Ｈが製品収納部Ｚ３から底面に向かって伸び、次いでこれらの先端部が外箱３００Ｈの底面に当接するので製品収納部Ｚ３は４箇所のリブ４１１Ｈにより支持される。
【００３５】
一方、製品を包装する前に一時畳んで収納することが可能である。即ち、製品部段ボール１００Ｈ１を外箱部段ボール１００Ｈ２に貼着した後、折畳むことが可能である。先ず、外箱の底面を開き、製品部段ボール１００Ｈ１の裏側から中央の畳み折り目ＢＢの部位を上方へ山形に膨らませる。このことにより、製品部段ボール１００Ｈ１は左右の折り目Ａ、Ａの部位から折れて、畳み折り目ＢＢの部位が外方へ山形に膨らむ。次いで、外箱３００Ｈの側面の畳み折り目ＥＦ及びＧＨの部位を内側へ閉じるように折込む。この様にして、前後が重なる様に折畳まれ、この状態を図１８に示す。この図では、製品部段ボールの中央畳み折り目ＢＢを上方に、外箱部段ボールの中央畳み折り目ＥＦ、ＧＨが内側へ挟まれるように折込まれる。しかも外箱段ボール部が内側に折り込まれるので折畳み体ＷＨの面積を小さくできる。このような扁平にしたコンパクトの状態で一時保管し、しかもこれらを多数枚重ねて輸送することが可能である。
【実施例４】
【００３６】
次に、本発明の実施例４について、図１９〜図２４を参照しながら説明する。
図１９は包装箱の展開図で製品部段ボール１００Ｊ１である。図２０は包装箱の展開図で外箱部段ボール１００Ｊ２である。図２１は製品部を上方から外箱部へ押込み完了した状態を示す一部破断面図である。図２２は外箱部の蓋を開けて製品部を迫上げる状態を示す。図２３は製品部を迫り上げる時の、外箱部の底面側から製品収納部を支える状態を示す。図２４は製品部と外箱部を貼着したまま折畳んだ状態を示す。
【００３７】
本実施例の実施例３との主たる相違点は、パット片を外箱部段ボールに一体に連接するところにある。
【００３８】
製品部の展開図である製品部段ボール１００Ｊ１は、図１９に示す様に上下左右対称の略矩形状で、上下方向に左方から折り目Ａ、Ｂ、Ｂ、Ａが平行に刻まれ、一方、左右方向に上方から折り目Ｃ、Ｃが平行に刻まれる。そして、この展開図の左右対称の中央に上下方向に貫通する畳み折り目ＢＢが刻まれる。また、折り目Ｂ、Ｃ、Ｂ、Ｃにより囲まれた底片の四隅から外方へ放射状に折り目Ｄ、Ｄ、Ｄ、Ｄが刻まれる。製品部の展開図は、以上の折り目に囲まれる各種の片から構成される。そして、中央の折り目に囲まれる様に底片が形成され、この底片が前記畳み折り目ＢＢによって左右に等分割され底片３１Ｊ、３１Ｊが連接する。同様に、畳み折り目ＢＢによって左右に等分割され、上方に側片４１Ｊ、４１Ｊが連接し、同様に等分割され下方に側片４１Ｊ、４１Ｊが連接する。側片４１Ｊ、４１Ｊの中央寄りに突き出るようにリブ４１１Ｊ、４１１Ｊを設け、底片３１Ｊ、３１Ｊの外方寄りで畳み折り目ＢＢ上に窓４５０Ｊ、４５０Ｊを設ける。また、底面３１Ｊ、３１Ｊの左右に側片２Ｊ、２Ｊが、これらの外側に側片１Ｊ、１Ｊが連接する。そして、左右の底片３１Ｊ、３１Ｊの四隅の外側上下に隅片５Ｊ、５Ｊ、５Ｊ、５Ｊが位置する。
【００３９】
一方、外箱の展開図である外箱部段ボール１００Ｊ２は図２０に示す様に、略矩形状の上下対称で、上下方向に左方から折り目Ｅ、Ｆ、Ｇが平行に刻まれ、一方、左右方向に上方から折り目Ｊ、Ｊが平行に刻まれる。そして、この展開図の折り目Ｅ、Ｆの間を等分割する様に上下方向に畳み折り目ＥＦを刻み、同様にこれらの左方に畳み折り目ＧＨの間を等分割する様に上下方向に畳み折り目ＧＨを刻む。外箱の展開図は、以上の折り目に囲まれる様に各種の面から構成される。この外箱の展開図の上段は蓋面、中段は側面、下段は底面から構成される。そして、夫々上方から上段は左方から蓋面２１Ｊ、２２Ｊ、２２Ｊ、２３Ｊ、２４Ｊ、２４Ｊが連接し、中段は左方から側面２５、２６Ｊ、２６Ｊ、２７、２８Ｊ、２８Ｊが連接し、かつ、折り目Ｈに連接して側面２９を備え、この下方の折り目Ｔ３、Ｔ４を介してパット片２９１、２９２が連接する。下段は左方から底面３１１Ｊ、３２Ｊ、３２Ｊ、３３、３４Ｊ、３４Ｊが連接する。なお、前記の上段の蓋面２２Ｊ、２２Ｊは、上下に貫通する畳み折り目ＥＦにより等分割され、中段の側面２６Ｈ、２６Ｈ及び下段の底面２２Ｈ、２２Ｈについても同様である。左方についても、上下に貫通する畳み折り目ＥＦにより等分割され、上段の蓋面２４Ｊ、２４Ｊ、中段の側面２８Ｊ、２８Ｊ及び下段の底面２４Ｊ、２４Ｊが連接する。その他、側面２８Ｊの右方は、折り目Ｈを介して側面２９が位置する。また、蓋面２１Ｊの折り目Ｊに沿って窓４５１Ｊを備え、底面３１１Ｊに折り目Ｕ２を介してストッパー４４０Ｊを備える。
【００４０】
二種の段ボールの構成は以上の通りであり、以下に製品部段ボール１００Ｊ１、外箱部段ボール１００Ｊ２から包装箱５００Ｊへ折上げる手順の他、包装箱としての使い方及びその作用について、主に実施例１と異なる事項について説明する。
【００４１】
折上げる手順は実施例３と略同様である。異なるのは、外箱部段ボール１００Ｊ２の側面を折り上げる時に、側面２５の端部とパット片２９の折り目Ｈ寄りの部位とを貼着することにより四角に折り上がる。そして、折り目Ｔ３の部位からパット片２９１を直角に折り曲げ、更に折り目Ｔ４の部位からパット片２９２を外箱の上方へ直角に折り曲げることによりパット体ＵＪが断面コ字状に形成される。ここで、外箱３００Ｊの側面２５の内側からパット片２９１が重なり、この部位のみ二重の側面が形成される。次いで、製品部段ボール１００Ｊ１の側片Ｊ１、Ｊ１の端部を上方から外箱部段ボール１００Ｊ２の蓋面２１Ｊ、２３Ｊの端部に貼着した後、底片３１Ｊ、３１Ｊを下方へ押し続けると、製品部段ボールの各片が外箱３００Ｊの中へ沈み、この上から左右の蓋面２１Ｊ、２３が覆い被さる様に外箱３００Ｊを閉じる。この状態を一部破断した図２１に示す様に、製品収納部Ｚ４を中央にして、この製品収納部Ｚ４と外箱３００Ｊの前後側面によって囲まれる様に、前後に付属品収納部Ｙ４、Ｙ４が形成され、左方に付属品収納部Ｘ４が形成される。ここで、製品収納部Ｚ４の底面は、畳み折り目ＢＢによって等分割された底片３１Ｊ、３１Ｊからなる。図２０のパット片２９１を底にして左右に側面２９、パット片２９２が断面コ字状に立ち上がった付属品収納部Ｘ４が形成され左方に見え、これは、付属品を収納するパット体ＵＪの機能の１となる。
【００４２】
一方、製品を梱包した包装箱５００Ｈを開封して製品を中から迫上げる状態を図２２に示す。外箱３００Ｊの蓋面２２Ｊ、２２Ｊ、２４Ｊ、２４Ｊを前後へ開いた後左右の蓋面２１Ｊ、２３Ｊを矢印ＹＹ、ＹＹの方向に開くと、これらの蓋面２１Ｊ、２３Ｊに貼着された左右の蓋片１Ｊ、１Ｊが追動する。同時に、蓋片１Ｊ、１Ｊと連接する底片及び周囲の側片２Ｊ、２Ｊと側片も上がる。この様にして、底片３１Ｊ、３１Ｊの上に載っている製品が迫り上がる。ここで、図示の様に、製品部段ボール１００Ｊ１の左右中心部の畳み折り目ＢＢと外箱部段ボール１００Ｊ２の外箱部段ボール１００Ｊ２の畳み折り目ＥＦ、ＧＨの線が一直線上に並び、これらの畳み折り目の部位から折畳まれて後述する折畳体ＷＪが形成される。
【００４３】
パット体ＵＪの機能の２として、製品を迫上げる時に製品収納部Ｚ４をこの背面側から支持するもので、外箱３００Ｊの底面を開いて底側から見た状態を図２３に示す。外箱３００Ｊの内側中央部に製品収納部Ｚ４を裏側から見た状態を示し、畳み折り目ＢＢの左右に底片３１Ｊ、３１Ｊが見え、その上方に側片４１Ｊに備えるリブ４１１Ｊが見え、同様に下にも４１１Ｊが見える。パット体ＵＪは、図示のようにパット片２９１から両側へパット片２９、２９２が折れ下がった断面コ字状体である。包装箱５００Ｊを開封する際、製品収納部Ｚ４を迫上げる時にパット体ＵＪのパット片２９２は蓋面の開きに追動して折り目Ｔ４の部位から中央側へ開き、リブ４１１Ｊに当たって止まる。ここで、リブ４１１Ｊはパット片２９２が中央へ寄るのを防ぐためのストッパーの機能を有する。このようにして、製品収納部Ｚ４はこの背面側からパット体ＵＪのパット片２９２によって支持される。なお、製品を中に梱包してパット体ＵＪを前述した付属品収納部として使用する時は、底片の表側から窓４５０Ｊに指を入れてパット片２９２をリブ４１１Ｊの位置から側面側へ寄せて断面コ字状体を形成する。この時、外箱の底面３１１Ｊを閉じながら、底面３１１Ｊに設けたストッパー４４０Ｊを折り目Ｕ２の部位から起こすことにより、ストッパー４４０Ｊがストッパーの作用をしてパット片２９２がリブ４１１Ｊ寄りに開くのを防止する。一方、製品を梱包して外箱の底面を閉じると、４箇所のリブ４１１Ｊが製品収納部Ｚ４から底面に向かって伸び、次いでこれらの先端部が外箱３００Ｊの底面に当接するので製品収納部Ｚ４は背面側から４箇所のリブ４１１Ｊにより支持される。
【００４４】
一方、製品を包装する前に一時畳んで収納することが可能である。即ち、製品部段ボール１００Ｊ１を外箱部段ボール１００Ｊ２に貼着した後、折畳むことが可能である。先ず、外箱の底面を解放し、製品部段ボール１００Ｊ１の裏側から中央の畳み折り目ＢＢの部位を上方へ山形に膨らませる。このことにより、製品部段ボール１００Ｊ１は左右の折り目Ａ、Ａの部位から折れて、畳み折り目ＢＢの部位が外方へ山形に膨らむ。次いで、外箱３００Ｊの側面の畳み折り目ＥＦ及びＧＨの部位を内側へ閉じるように折込む。この様にして、前後が重なる様に折畳まれ、この状態を図２４に示す。この図では、製品部段ボールの中央畳み折り目ＢＢを上方に、外箱部段ボールの畳み折り目ＥＦ、ＧＨが内側へ挟まれるように折込まれる。しかも外箱段ボール部が両側から内側に折り込まれるので折畳み体ＷＨの面積を小さくすることができる。このような扁平にしたコンパクトの状態で一時保管し、しかもこれらを多数枚重ねて輸送することが可能である。
【実施例５】
【００４５】
次に、本発明の実施例５について、図２５〜図２９を参照しながら説明する。
図２５は包装箱の展開図で製品部段ボール１００Ｃ１である。図２６は包装箱の展開図で外箱部段ボール１００Ｃ２である。図２７は製品部を上方から外箱部へ押込み完了した状態を示す一部破断面図である。図２８は外箱部の蓋を開けて製品部を迫上げる状態を示す。図２９は製品部と外箱部を貼着したまま折畳んだ状態を示す。
【００４６】
本実施例の実施例２との主たる相違点は、製品部段ボール１００Ｃ１を外箱部段ボール１００Ｃ２に貼着した後、展開図上の中心部の折り目に沿って扁平状に畳む時に、製品部段ボールが外箱部段ボールの外方へはみ出すことがなく、内側へ折れ曲がるところにある。
【００４７】
製品部の展開図である段ボール１００Ｃ１は、図２５に示す様に上下左右対称の略矩形状で、上下方向に左方から折り目Ａ、Ｂ、Ａが平行に刻まれ、一方、左右方向に上方から折り目Ｃ、Ｃが平行に刻まれる。そして、この展開図の左右対称の中心部に上下方向に貫通する畳み折り目ＢＢが刻まれる。また底片３１Ｃ、３１Ｃの四隅から放射状に折り目Ｄ、Ｄ、Ｄ、Ｄが刻まれる。製品部の展開図は、以上の折り目に囲まれる様に各種の片から構成される。そして、中央の折り目Ｂ、Ｃ、Ｃ、Ｂ、Ｃ、Ｃにより囲まれる様に底片が形成され、前記の畳み折り目ＢＢによって左右に底片３１Ｃ、３１Ｃに等分割される。同様に、前記の畳み折り目ＢＢによって左右に等分割され、上方に側片４２Ｃ、４２Ｃが位置し、同様に等分割され下方に側片４２Ｃ、４２Ｃが位置する。これらの折り目Ｋの外方は上下ともに、前記の畳み折り目ＢＢによって左右に等分割され、側片４１Ｃ、４１Ｃが位置し、更に三角形の側片４３Ｃ、４３Ｃが位置する。ここで、側片４３Ｃが三角形なので、後述の重なる様に折畳む時に、製品部段ボールが外箱段ボールの内側へ折り易くなる。また、底面３１Ｃ、３１Ｃの左右に側片２、２、これらの外側に側片１、１が位置する。そして、底片３の四隅の上下外側に隅片５１Ｃ、５１Ｃ、５１Ｃ、５１Ｃが位置し、これらの外方に隅片５２Ｃ、５２Ｃ、５２Ｃ、５２Ｃが位置する。
【００４８】
一方、製品収納部を囲む外箱の展開図である段ボール１００Ｃ２は図２６に示す様に略矩形状の上下対称で、実施例２の図８と同じである。
【００４９】
二種の段ボールの構成は以上の通りであり、以下に製品部段ボール１００Ｃ１及び外箱部段ボール１００Ｃ２から包装箱５００Ｃへ折上げる手順の他、包装箱としての使い方及びその作用について、主に実施例２と異なる事項について説明する。
【００５０】
外箱３００Ｃを左右から蓋を閉じ、この状態を蓋面の一部を破断した図２７に示す様に、製品収納部Ｚ５を中央にして、この製品収納部Ｚ５と外箱３００Ｃの前後側面によって囲まれる様に、前後に付属品収納部Ｙ５、Ｙ５が形成される。ここで、製品収納部Ｚ５の底面は、畳み折り目ＢＢによって等分割された底片３１Ｃ、３１Ｃからなる。
【００５１】
一方、製品を梱包した包装箱５００Ｃを開梱する状態を図２８に示す。外箱３００Ｃの蓋面２２Ｃ、２２Ｃ、２４Ｃ、２４Ｃを前後へ開いた後左右の蓋面２１、２３を矢印ＹＹ、ＹＹの方向に開くと、これらの蓋面２１、２３に貼着された左右の蓋片１、１が追動する。同時に、蓋片１、１と連接する底片及び周囲の側片２、２と側片も上がる。この様にして、底片３Ｃ、３１Ｃの上に載っている製品が迫り上がる。ここで、図示の様に、製品部段ボール１００Ｃ１の左右中心部の畳み折り目ＢＢと外箱部段ボール１００Ｃ２の外箱部段ボール１００Ｃ２の畳み折り目ＥＦ、ＧＨの線が一直線上に並び、これらの畳み折り目の部位から折畳まれて後述する折畳体ＷＣが形成される。
【００５２】
一方、製品を包装する前に一時畳んで収納することができる。製品部段ボール１００Ｃ１、外箱部段ボール１００Ｃ２の夫々の中心畳み折り目ＢＢ及び畳み折り目ＥＦ、ＧＨの部位から重なる様に折畳む途中の状態を図２９に示す。この時、製品段ボール１００Ｃ１を外箱部段ボール１００Ｃ２の内側へ押し込む様に、中心畳み折り目ＢＢの部位から折り曲げる。従って、図示の様に製品部段ボール１００Ｃ１の中心畳み折り目ＢＢの部位は、外箱部段ボール１００Ｃ２により上下から挟まれる様に奥に位置する。また、箱段ボール１００Ｃ２の夫々の中心畳み折り目ＥＦ、ＧＨは夫々左右端に位置する。この図示の状態から、更に上下方向から矢印ＺＺ、ＺＺの様に押すと扁平な折畳体が得られ、しかも製品部段ボールが外箱部段ボールの中に折り畳まれるので、外方へはみ出すことが無く実施例２の折畳み体より面積が小さくなり保管、運送上使い勝手が良い。
【実施例６】
【００５３】
次に、本発明の実施例６について、図３０〜図３３を参照しながら説明する。
図３０は包装箱の展開図で製品部段ボール１００Ｄ１である。図３１は包装箱の展開図で外箱部段ボール１００Ｄ２である。図３２は製品部を上方から外箱部へ押込み完了した状態を示す一部破断面図である。図３３は外箱部の蓋を開けて製品部を迫上げる状態を示す。
【００５４】
本実施例の実施例１との主たる相違点は、包装箱の中に窪みを有する製品収納部を形成した後、蓋面の背面に形成された角状体により製品収納部が覆設されるところにある。
【００５５】
製品部の展開図である製品部段ボール１００Ｄ１は、図３０に示す様に上下左右対称の略矩形状で、上下方向に左方から折り目Ｔ、Ｓ、Ａ、Ｂ、Ｂ、Ａ、Ｓ、Ｔが平行に刻まれ、一方、左右方向に上方から折り目Ｃ、Ｃが平行に刻まれる。また、折り目Ｂ、Ｃ、Ｂ、Ｃにより囲まれた中央の底片３の四隅から外方へ放射状に折り目Ｄ、Ｄ、Ｄ、Ｄが刻まれる。製品部の展開図は、以上の折り目に囲まれる各種の片から構成される。底片３の上下に側片４Ｄ、４Ｄが連接し、かつ、これらの外方左右対称に嵌合部４６０Ｄ、４１Ｄを備える。底片３の左右に側片２、２、更にこれらの外側に側片１、１が連接し、更にこれらの左右外側に角状体片１１Ｄ、１２Ｄが連接する。そして、底片３の四隅の外側上下に隅片５、５、５、５が位置する。
【００５６】
一方、製品部を囲む外箱の展開図である段ボール１００Ｄ２は図３１に示す様に略矩形状の上下対称で、実施例１の図２と同じである。
【００５７】
二種の段ボールの構成は以上の通りであり、以下に製品部段ボール１００Ｄ１及び外箱部段ボール１００Ｄ２から包装箱５００Ｄへ折上げる手順の他、包装箱としての使い方及びその作用について、主に実施例１と異なる事項について説明する。
【００５８】
外箱３００Ｄを左右から蓋を閉じ、この状態を蓋面の一部を破断した図３２に示す様に、製品収納部Ｚ６を中央にして、この製品収納部Ｚ６と外箱３００Ｄの前後側面２６、２８によって囲まれる様に、付属品収納部Ｙ６、Ｙ６が形成される。ここで、製品部段ボール１００Ｄ１に示す側片４Ｄに左右対称に備える嵌合部４６０Ｄの箇所へ角状体片１１Ｄ、１２Ｄ及び側片１を直角に折り曲げた断面コ字状の角状体ＵＤを上方から嵌め込む。このことにより、製品収納部の位置が固定され、かつ、包装箱の前後上下左右からの衝撃に対し中の製品を保護する緩衝体としての機能を有する。
【００５９】
一方、製品を梱包した包装箱を開封する状態を図３３に示す。外箱３００Ｄの蓋面２２、２４を前後へ開いた後、左右の蓋面２１、２３を矢印ＹＹ、ＹＹの方向に開くと、これらの蓋面２１、２３に貼着された左右の蓋片１、１が追動する。同時に、蓋片１、１と連接する底片３及び周囲の側片２、２と側片４、４も上がる。なお、蓋片１、１と一体の左右の角状体片１１Ｄ、１２Ｄも角状体ＵＤが解かれて矢印ＹＹ、ＹＹの方向へ開く。
【実施例７】
【００６０】
次に、本発明の実施例７について、図３４〜図３９を参照しながら説明する。
図３４は製品部とこれに連設した外箱部の展開図である。図３５は製品部を山形状に膨らまして外箱部に連設した状態を示す。図３６は製品部を上方から外箱部へ押込み完了した状態を示す一部破断面図である。図３７は外箱部の蓋を開けて製品部を迫上げる状態を示す。図３８は外箱部の底面側から製品収納部を支える状態を示す。図３９は一体化した製品部と外箱部における外箱部の側面同士を貼着したまま折畳んだ状態を示す。
【００６１】
本実施例の実施例１との主たる相違点は、展開図において製品部段ボールと外箱部段ボールとが一体連接して一枚の段ボール紙から形成され、かつ、製品収納部をこの背面側から支持するリブを設けるところにある。
【００６２】
製品部の展開図である製品部段ボール１００Ｆは、図３４に示す様に上下対称の略Ｔ字形状で、左方に伸びる製品部とこれとＴ字に連接する上下方向の外箱部とからなる。折り目Ｊを境に左方の製品部段ボール１００Ｆ１と右方の外箱部段ボール１０Ｆ２に区分できる。左方の製品部は、上下方向に左方から折り目Ｒ、Ｒ、Ａ、Ｂ、Ｂ、Ａが平行に刻まれ、一方、左右方向に上方から折り目Ｃ、Ｃが平行に刻まれる。また、畳み折り目Ｂ、Ｂの間を左右に等分する様に中央に畳み折り目ＢＢ、ＢＢ、ＢＢが刻まれる。更に、折り目Ｂ、Ｃ、Ｂ、Ｃにより囲まれた中央の底片の四隅から外方へ放射状に折り目Ｄ、Ｄ、Ｄ、Ｄが刻まれる。製品部の展開図は、以上の折り目に囲まれる各種の片から構成される。底片は畳み折り目ＢＢにより左右に等分され底片３Ｆ、３Ｆからなり、これらの上下に畳み折り目ＢＢにより左右に等分され側片４Ｆ、４Ｆ及び側片４Ｆ、４Ｆが連接する。底片３Ｆ、３Ｆの左右に側片２Ｆ、２Ｆ、更に、これらの左右に側片１Ｆ、１Ｆが連接する。更に、側片１Ｆの左方に側面２７Ｆが連接する。ここで、側片１Ｆの右方は折り目Ｊを介して外箱の側面２７Ｆが連接する。一方、外箱部は左右方向に上方から折り目Ｈ、Ｆ、Ｆ、Ｈが平行に刻まれ、一方、上下方向に上方から折り目Ｊ、Ｊが平行に刻まれる。外箱部は、以上の折り目に囲まれる様に各種の面から構成される。この外箱の展開図の左列は蓋面、中列は側面、右列は底面から構成される。そして、夫々上方から中列は上方から側面２６Ｆ、２６Ｆ、２７Ｆ、２６Ｆ、２６Ｆが連接し、これらの右列は底面３２Ｆ、３２Ｆ、３３Ｆ、３２Ｆ、３３Ｆが連接する。そして、中列の側面２６Ｆ、２６Ｆの左方に蓋面２２Ｆ、２２Ｆ、また、下方の側面２６Ｆ、２６Ｆの左方に蓋面２２Ｆ、２２Ｆが連接する。なお、上下に等分する様に折り目ＦＨ、ＦＨが刻まれる。その他、外箱の上下に折り目Ｈを介して貼着片２９、２９が連接する。
【００６３】
製品部と外箱部とが一体の段ボールの構成は以上の通りであり、以下にこの段ボール１００Ｆから包装箱５００Ｆへ折上げる手順について説明する。更に、折上げの各種態様において包装箱としての使い方及びその作用について説明する。
【００６４】
先ず、外箱部の側面２６Ｆ、２６Ｆ、２７Ｆ、２６Ｆ、２６Ｆを四角に囲う様に折れ目Ｆ、Ｆの部位から折り曲げ、かつ、製品部を折り目Ｊの部位から外箱部側へ折り曲げて製品部側の側面２７Ｆを加えて外箱部の４面を形成する。最後に上下の側面２６Ｆ、２６Ｆ端部の貼着片２９、２９を折り目Ｈの部位から折り曲げて囲んだ隣り合う側面２７Ｆの両端部内側に貼着して外箱の四面の囲いを作る。次いで、製品部を外箱部の上方へ畳み折り目ＢＢの部位を押すと、図３５に示す様に、製品部の対向する側片１Ｆ、１Ｆの折り目Ａ、Ａの部位から折れて底片３Ｆ、３Ｆを中央にして山形に盛り上がった状態になる。
【００６５】
この状態から、対向する底面３３Ｆ、底面２３Ｆを折り目Ｊの部位から内側へ直角に折り曲げ、その上に重ねる様に対向する底面３２Ｆ、３２Ｆ、３２Ｆ、３２Ｆを折り目Ｊの部位から内側へ直角に折り曲げ、次いで、底面３２Ｆ、３２Ｆ、３２Ｆ、３２Ｆの突合せ部を覆う様にテープを貼着して外箱Ｆの底部を完成する。次いで、底片３Ｆ、３Ｆを下方へ押すと、側片２Ｆ、２Ｆと側片４Ｆ、４Ｆ、４Ｆ、４Ｆ及び左右の側片１Ｆ、１Ｆも追動する様に、折り目Ｂ、Ｃ、Ｂ、Ｃ及び折り目Ａ、Ａの部位から折れて、一緒に下方へ沈む。即ち、中央の底片３Ｆ、３Ｆが下方へ押されて窪むと同時に、周囲の側片２Ｆ、２Ｆ及び側片４Ｆ、４Ｆも沈んで窪みを有する製品収納部Ｚ７が形成される。同時に、四隅の隅片５Ｆも折り目Ｂ、Ｄの部位から折れ曲がる。この時、左右の側片１Ｆ、１Ｆに追動して、左右蓋面２Ｆ、２Ｆが外箱部段ボールの折り目Ｊ、Ｒの部位から立ち上がり中央へ寄ってくる。更に、底片３Ｆ、３Ｆを下方へ押し続けると、製品部段ボールの各片が外箱３００Ｆの中へ沈み、この上から前後の蓋面２２Ｆ、２２Ｆ及び蓋面２２Ｆ、２２Ｆが覆い被さる様に外箱３００Ｆを前後から閉じる。この時、四隅の隅片５Ｆは、夫々左右の側片２１Ｆ、２１Ｆの端部で相接する様に折れ曲がる。この状態を蓋面の一部を破断した図３６に示す。この図に示した様に、製品収納部Ｚ７を中央にして、この製品収納部Ｚ７と外箱３００Ｆの側面２６Ｆ、２６Ｆ及び２６Ｆ、２６Ｆ、とで囲まれる様に、前後に付属品収納部Ｙ７、Ｙ７が形成される。また、内側へ折曲げられた側面２７Ｆ、側片１Ｆ、２Ｆ及び側面２７Ｆから形成される断面コ字状の角状体ＵＦが隅片５Ｆに相接する様に左右に形成され、この角状体ＵＦは製品を包装箱５００Ｆに梱包後、包装箱の側面からの衝撃に対して製品を保護する緩衝体としての機能を有する。
【００６６】
一方、製品を梱包した包装箱を開梱する状態を図３７に示す。外箱３００Ｆの蓋面２２Ｆ、２２Ｆ及び蓋面２２Ｆ、２２Ｆを前後へ開いた後左右の蓋面側片２Ｆ、２Ｆを矢印ＹＹ、ＹＹの方向に開くと、これらに連接した中央の底面３Ｆ、３Ｆが追動する。同時に、側片４Ｆ、４Ｆも上がる。ここで、底面３Ｆ、３Ｆの左右に下方へ向くリブ４１１Ｆ、４１１Ｆが見える。包装箱５００Ｆに製品を梱包して蓋面を閉じた状態で、リブ４１１Ｆ、４１１Ｆによって製品収納部Ｚ７はこの背面側から支持される。
【００６７】
は製品収納部Ｚ７はこの背面側からリブ４１１Ｆ、４１１Ｆにより支持されるもので、外箱３００Ｆの底面から見た破断図を図３０に示す。即ち、側片２Ｆ、２Ｆから内側へ折れ曲がった左右のリブ４１１Ｆ、４１１Ｆが底片３Ｆ、３Ｆから立設されて外箱の底面３３Ｆ、２３に当接する。即ち、リブ４１１Ｆ、４１１Ｆは製品収納部Ｚ７をこの背面側から支持する機能を有するとともに、外方からの衝撃に対し製品を保護する緩衝体の機能をも有する。
【００６８】
一方、製品を包装する前に一時畳んで収納することが可能である。即ち、外箱部段ボールの４側面を四角に囲った後、外箱の左右の畳み折り目ＦＨ、ＦＨの部位から重ねる様に折り曲げる、同時に製品部が追動して畳み折り目ＢＢの部位から外方へ山形に膨らみながら重なる様に折れ曲がる。この様にして、前後が重なる様に折畳まれ、この状態を図３９に示す。この図では、製品部段ボールの中央畳み折り目ＢＢを上方に、外箱部段ボールの畳み折り目ＥＦ、ＥＦを左右に示す。このような扁平にしたコンパクトの状態で一時保管することができ、また、これらを多数枚重ねて輸送することが可能である。
【実施例８】
【００６９】
次に、本発明の実施例８について、図４０〜図４３を参照しながら説明する。
図４０は製品部とこれに連設した外箱部の展開図である。図４１は製品部段ボール１００Ａ１と外箱部段ボール１００Ａ２とを連結した状態を示す。図４２は製品部を上方から外箱部へ押込み完了した状態を示す一部破断面図である。図４３は外箱部の蓋を開けて製品部を迫上げる状態を示す。
【００７０】
本実施例の実施例７との主たる相違点は、貼着することなく外箱を形成できるところにある。
【００７１】
製品部の展開図である製品部段ボール１００Ｇは、図４０に示す様に略Ｔ字形状で、左方に伸びる製品部とこれとＴ字に連接する上下方向の外箱部とからなる。折り目Ｔを境に左方の製品部段ボール１００Ｇ１と右方の外箱部段ボール１００Ｇ２に区分できる。左方の製品部は、上下方向に左方から折り目Ａ、Ｂ、Ｂ、Ａが平行に刻まれ、一方、左右方向に上方から折り目Ｃ、Ｃが平行に刻まれる。また、折り目Ｂ、Ｃ、Ｂ、Ｃにより囲まれた中央の底片３Ｇの四隅から外方へ放射状に折り目Ｄ、Ｄ、Ｄ、Ｄが刻まれる。製品部の展開図は、以上の折り目に囲まれる各種の片から構成される。底片３Ｇの左右に側片４Ｇ、４Ｇが、更にこれらの左右に側片１Ｇ、１Ｇが連接し、左端の側片１Ｇの上下に折り目を介して係止片１０１Ｇ、１０１Ｇを備え、右方の側片１Ｇには係止孔１０２Ｇを備える。ここで、右方の側片１Ｇの右方は折り目Ｔを介して外箱部と連接する。一方、外箱部は底面３３Ｇを中央にして左右方向に上方から折り目ＫＫ、ＫＫが平行に刻まれ、一方、上下方向に折り目ＪＪ、ＪＪが平行に刻まれる。また、底面３３Ｇの上下方に折り目ＬＬ、ＮＮを備える。外箱部は、以上の折り目に囲まれる様に各種の面から構成される。この外箱部の中列は底面３３Ｇの上方に側面２６Ｇ、蓋面２２Ｇ、そして、底面３３Ｇの下方に側面２８Ｇ、２８ＧＡを備え、また、底面３３Ｇの対角線方向に側面２５ＧＡ、２５２５ＧＢ、２７ＧＡ、２７ＧＢを備える。一方、底面３３Ｇの左右には、側面２５Ｇ、２７Ｇを備え、更にこれらの左右に側面２５ＧＣ、２７ＧＣを備える。なお、側面２５ＧＣの左方は折り目Ｔを介して製品部の側片１Ｇと連接する。また、左右の側面２５ＧＣ、２７ＧＣには、折り目を介して係止片２５２Ｇ、２７１Ｇ及び２７２Ｇを備える。また、底面３３Ｇの上方の蓋面２２Ｇに係止片２２１Ｇ、係止孔２２２Ｇ下方の側面２８Ｇには夫々折り目を介して係止片２８４Ｇを備える。
【００７２】
製品部と外箱が一体の段ボールの構成は以上の通りであり、以下にこの段ボール１００Ｇから包装箱５００Ｇへ折上げる手順について説明する。更に、折上げの各種態様において包装箱としての使い方及びその作用について説明する。
【００７３】
先ず、外箱部の底面３３Ｇの周囲の折り目ＪＪ、ＫＫ、ＪＪ、ＫＫの部位から側面２５Ｇ、２６Ｇ、２７Ｇ、２８Ｇを立上げる。その際、側面２５ＧＢ、２７ＧＢを両側から観音扉の様に内側へ閉じてこれらの外側から側面２８Ｇにより覆い、更に側面２５ＧＢ、２７ＧＢを挟むように側面２８ＧＡにより覆い、側面２８ＧＡの係止片２８３Ｇを底面３３Ｇの係止溝３３１Ｇへ挿着して外箱部の３側面を形成する。次に、折り目Ｔの部位から製品部段ボール１００Ｇ１を外箱部側へ被せる様に折り曲げ、この状態を図４１に示す。この図において、右端部に折り目Ｔの部位から折り曲げた製品部の蓋片１Ｇが蓋片２５ＧＣに固着される状態が示され、この蓋片１Ｇの係止孔１０２Ｇへ蓋片２５ＧＣの係止片２５２Ｇが係止される。一方左端部は蓋片１Ｇが蓋片２７ＧＣに固着される状態が示され、この蓋片１Ｇの係止片１０１Ｇ、１０１Ｇの溝へ蓋片２７ＧＣの係止片２７２Ｇ、２７２Ｇが係止される。
【００７４】
次いで、製品部の底片３Ｇを下方へ押すと、側片２Ｇ、２Ｇと側片４Ｇ、４Ｇ及び左右の側片１Ｇ、１Ｇは追動して、折り目Ｂ、Ｃ、Ｂ、Ｃ及び折り目Ａ、Ａの部位から折れて一緒に下方へ沈む。即ち、中央の底片３Ｇが下方へ押されて窪むと同時に、周囲の側片２Ｇ、２Ｇ及び側片４Ｇ、４Ｇも沈んで窪みを有する製品収納部Ｚ８が形成される。同時に、四隅の隅片５Ｇも折り目Ｂ、Ｄの部位から折れ曲がる。この時、左右の側片１Ｇ、１Ｇに追動して、左右蓋面２５ＧＣ、２７ＧＣが外箱部段ボールの折り目ＭＭの部位から折れ曲がり中央へ寄ってくる。更に、底片３Ｇを下方へ押し続けると、製品部段ボールの各片が外箱３００Ｇの中へ埋まる様に沈み、この上から左右の蓋面２５ＧＣ、２７ＧＣが覆い被さる様に外箱３００Ｇを左右から閉じる。この時、四隅の隅片５Ｇは、夫々前後の側片２Ｇ、２Ｇの端部で相接する様に折れ曲がる。この状態を一部破断図として図４２に示す。この図に示した様に、製品収納部Ｚ８を中央にして、この製品収納部Ｚ８と外箱３００Ｇの側面２６Ｇ、２８Ｇとで囲まれる様に、前後に付属品収納部Ｙ８、Ｙ８が形成される。
【００７５】
一方、製品を梱包した包装箱を開梱する状態を図４３に示す。外箱３００Ｇの蓋面２２Ｇの係止を解いて手前側へ開いた後左右の蓋面側片２５ＧＣ、２７ＧＣを矢印ＹＹ、ＹＹの方向に開くと、これらに連接した中央の底面３Ｇが追動する。同時に、側片４Ｇ、４Ｇも上がる。ここで、底面３Ｇの前後に下方へ向かうリブ４１１Ｇ、４１１Ｇが見える。包装箱５００Ｇに製品を梱包して蓋面を閉じた状態で、リブ４１１Ｇ、４１１Ｇは製品収納部Ｚ７をこの背面側から支持する。即ち、側片２Ｇ、２Ｇから内側へ折れ曲がった左右のリブ４１１Ｇ、４１１Ｇが底片３Ｇから立設されて外箱の底面３３Ｇに当接する。即ち、梱包した状態において、リブ４１１Ｇ、４１１Ｇは製品収納部Ｚ７をこの背面側から支持する機能を有するとともに、外方からの衝撃に対し製品を保護する緩衝体の機能をも有する。
【実施例９】
【００７６】
次に、本発明の実施例９について、図４４〜図４８を参照しながら説明する。
図４４は包装箱の展開図で製品部段ボール１００Ｅ１である。図４５は包装箱の展開図で外箱部段ボール１００Ｅ２である。図４６は製品部を上方から外箱部へ押込み完了した状態を示す一部破断面図である。図４７は外箱部の蓋を開けて製品部を迫上げる状態を示す。図４８は外箱部の底面側から製品収納部を支える状態を示す。
【００７７】
本実施例の実施例３、４との主たる相違点は、製品を迫上げる時にパット体の代わりにフラップによって製品収納部が背面側から支持されるところにある。
【００７８】
製品部の展開図である製品部段ボール１００Ｅ１は、図４４に示す様に上下左右対称の略矩形状で、上下方向に左方から折り目Ａ、Ｂ、Ｂ、Ａが平行に刻まれ、一方、左右方向に上方から折り目Ｃ、Ｃが平行に刻まれる。また、折り目Ｂ、Ｃ、Ｂ、Ｃにより囲まれた中央の底片３Ｅの四隅から外方へ放射状に折り目Ｄ、Ｄ、Ｄ、Ｄが刻まれる。製品部の展開図は、以上の折り目に囲まれる各種の片から構成される。底片３Ｅの上下に側片４Ｅ、４Ｅが連接し、側片４Ｅ、４Ｅの底片３Ｅ側にストッパー４１Ｅ、４１Ｅ、４１Ｅ、４１Ｅ備える。また、左右の折り目Ａ、Ａを跨る様に、夫々角状体片１１Ｅ、１２Ｅを備え、包装箱の上蓋面を閉じた時にこれらの角状体片１１Ｅ、１２Ｅが蓋面２１とで断面コ字状の角状体ＵＥが形成されて包装箱の上方からの衝撃に対して製品を保護する緩衝体としての機能を有する。詳しくは、後述する図４６に示すように、蓋面２１の裏側に角状体片１１Ｅ、１２Ｅ及び蓋面２１とから形成される角状体ＵＥが形成されて底片３Ｅに上に載置された製品を上方から製品を押える。そして、底片３Ｅの四隅の外側上下に隅片５Ｅ、５Ｅ、５Ｅ、５Ｅが位置する。また、底片３Ｅの左右に窓４５０Ｅ、４５０Ｅを備え、これらの外方左右折り目Ａ上に角状体片１１Ｅ、１２Ｅを備え、夫々折り目Ｐ、Ｎ、Ｍを上下方向平行に設ける。更に、側片４Ｅ、４Ｅの底片３Ｅ側に夫々ストッパー４１Ｅ、４１Ｅを備える。
【００７９】
一方、外箱の展開図である外箱部段ボール１００Ｅ２は図４５に示す様に、略矩形状で、上下方向に左方から畳み折り目Ｅ、Ｆ、Ｇが平行に刻まれ、一方、左右方向に上方から折り目Ｊ、Ｊが平行に刻まれる。外箱の展開図は、以上の折り目に囲まれる様に各種の面から構成される。この外箱の展開図の上段は蓋面、中段は側面、下段は底面から構成される。そして、夫々上方から上段は左方から蓋面２１、２２、２３、２４が連接し、中段は左方から側面２５、２６、２７、２８が連接し、下段は左方から底面３１Ｅ、底面３２Ｅ、底面３３Ｅ、底面３４Ｅが連接する。なお、下段の底面３１Ｅ、３３Ｅには、折り目Ｑを介して夫々下方にフラップ３１２Ｅ、３３２Ｅを備える。その他、側面２８の右方は、折り目Ｈを介して側片２８１が位置する。
【００８０】
二種の段ボールの構成は以上の通りであり、以下に製品部段ボール１００Ｅ１及び外箱部段ボール１００Ｅ２から包装箱５００Ｅへ折上げる手順の他、包装箱としての使い方及びその作用について、主に実施例１と異なる事項について説明する。
【００８１】
外箱３００Ｅを左右から蓋を閉じ、この状態を一部破断した図４６に示す様に、製品収納部Ｚ９を中央にして、この製品収納部Ｚ９と外箱３００Ｅの前後側面によって囲まれる様に、前後に付属品収納部Ｙ９、Ｙ９が形成される。ここで、外箱部段ボール１００Ｅ２に備える底面３３Ｅが右方に底面から直立し、製品部段ボール１００Ｅ１に備えるストッパー４１Ｅが手前に見える。製品収納部Ｚ９に製品を載置する際は両側の窓４５０Ｅ、４５０Ｅに指を挿入して中のフラップ３１２Ｅ、３３２Ｅを左右のストッパー４１Ｅ、４１Ｅまで寄せて直立させ、フラップ３１２Ｅ、３３２Ｅにより製品収納部Ｚ９はこの背面側から支持される。次いで、両側の窓４５０Ｅ、４５０Ｅに指を挿入して中のフラップ３１２Ｅ、３３２Ｅをストッパー４１Ｅ、４１Ｅの部位から両側へ外して製品収納部Ｚ９を沈める。従って、製品を包装箱５００Ｅに梱包している間は、フラップ３１２Ｅ、３３２Ｅは両側の側面にもたれかかるので、製品収納部Ｚ９を支持する作用は無い。ここで、ストッパー４１Ｅ、４１Ｅはフラップ３１２Ｅ、３３２Ｅが内側へ倒れない様にするためのストッパーとしての機能を有する。
【００８２】
一方、製品を梱包した包装箱を開梱する状態を図４７に示す。外箱３００Ｅの蓋面２２、２４を前後へ開いた後、左右の蓋面２１、２３を矢印ＹＹ、ＹＹの方向へ開くと、これらの蓋面２１、２３に貼着された左右の蓋片１Ｅ、１Ｅが追動する。同時に、蓋片１Ｅ、１Ｅと連接する底片３Ｅ及び周囲の側片２Ｅ、２Ｅと側片４Ｅ、４Ｅも上がる。ここで、底面３Ｅの上に載っている迫り上がった製品を下方から支える様に、左右の窓４５０Ｅ、４５０Ｅの中にフラップ３１２Ｅ、３３２Ｅが見える。製品が下方から迫り上がる動作に随動して、両側に寄っているフラップ３１２Ｅ、３３２Ｅが内側へ倒れてきてストッパー４１Ｅ、４１Ｅに当たる。この状態で、製品収納部Ｚ９はこの背面側からフラップ３１２Ｅ、３３２Ｅによって支持される。
【００８３】
フラップ３１２Ｅ、３３２Ｅは製品収納部Ｚ９をこの背面側から支持するもので、外箱３００Ｅの底から見た破断図として図４８に示す。側面２５、２７から内側へ折れ曲がった左右のフラップ３１２Ｅ、３３２Ｅが製品収納部Ｚ９を、この背面側から支持する。フラップ３１２Ｅ、３３２Ｅはプリンターのような重量物の電気製品を製品収納部Ｚ９の背面側から支持するに十分の強度を有する。ここで、ストッパー４１Ｅは、図示のようにフラップ３１２Ｅ、３３２Ｅが中央へ寄るのを防ぐためのストッパーとしての機能を有する。
【図面の簡単な説明】
【００８４】
【図１】本発明実施例１に係り、包装箱の展開図で製品部段ボール１００Ａ１である。
【図２】同上、包装箱の展開図で外箱部段ボール１００Ａ２である。
【図３】同上、製品部段ボール１００Ａ１を上方から外箱部段ボール１００Ａ２へ貼着した状態を示す。
【図４】同上、製品部を上方から外箱部へ押込む状態を示す。
【図５】同上、製品部を上方から外箱部へ押込み完了した状態を示す一部破断面図である。
【図６】同上、外箱部の蓋を開けて製品部を迫上げる状態を示す。
【図７】本発明実施例２に係り、包装箱の展開図で製品部段ボール１００Ｂ１である。
【図８】同上、包装箱の展開図で外箱部段ボール１００Ｂ２である。
【図９】同上、製品部を上方から外箱部へ押込み完了した状態を示す一部破断面図である。
【図１０】同上、外箱部の蓋を開けて製品部を迫上げる状態を示す。
【図１１】同上、製品部と外箱部を貼着したまま折畳んだ状態を示す。
【図１２】本発明実施例３に係り、包装箱の展開図で製品部段ボール１００Ｈ１である。
【図１３】同上、包装箱の展開図で外箱部段ボール１００Ｈ２である。
【図１４】同上、パットの展開図で段ボール１００Ｈ３である。
【図１５】同上、製品部を上方から外箱部へ押込み完了した状態を示す一部破断面図である。
【図１６】同上、外箱部の蓋を開けて製品部を迫上げる状態を示す。
【図１７】同上、製品部を迫り上げる時の、外箱部の底面側から製品収納部を支える状態を示す。
【図１８】同上、製品部と外箱部を貼着したまま折畳んだ状態を示す図である。
【図１９】本発明実施例４に係り、包装箱の展開図で製品部段ボール１００Ｊ１である。
【図２０】同上、包装箱の展開図で外箱部段ボール１００Ｊ２である。
【図２１】同上、製品部を上方から外箱部へ押込み完了した状態を示す一部破断面図である。
【図２２】同上、外箱部の蓋を開けて製品部を迫上げる状態を示す。
【図２３】同上、製品部を迫り上げる時の、外箱部の底面側から製品収納部を支える状態を示す。
【図２４】同上、製品部と外箱部を貼着したまま折畳んだ状態を示す図である。
【図２５】本発明実施例５に係り、包装箱の展開図で製品部段ボール１００Ｃ１である。
【図２６】同上、包装箱の展開図で外箱部段ボール１００Ｃ２である。
【図２７】同上、製品部を上方から外箱部へ押込み完了した状態を示す一部破断面図である。
【図２８】同上、外箱部の蓋を開けて製品部を迫上げる状態を示す。
【図２９】同上、製品部と外箱部を貼着したまま折畳んだ状態を示す。
【図３０】本発明実施例６に係り、包装箱の展開図で製品部段ボール１００Ｄ１である。
【図３１】同上、包装箱の展開図で外箱部段ボール１００Ｄ２である。
【図３２】同上、製品部を上方から外箱部へ押込み完了した状態を示す一部破断面図である。
【図３３】同上、外箱部の蓋を開けて製品部を迫上げる状態を示す。
【図３４】本発明実施例７に係り、製品部とこれに連接した外箱部の展開図で段ボール１００Ｆである。
【図３５】同上、製品部を山形状に膨らまして外箱部に連設した状態を示す。
【図３６】同上、製品部を上方から外箱部へ押込み完了した状態を示す一部破断面図である。
【図３７】同上、外箱部の蓋を開けて製品部を迫上げる状態を示す。
【図３８】同上、外箱部の底面側から製品収納部を支持する状態を示す。
【図３９】同上、一体化した製品部と外箱部における外箱部の側面同士を貼着したまま折畳んだ状態を示す。
【図４０】本発明実施例８に係り、製品部とこれに連設した外箱部の展開図である。
【図４１】同上、製品部段ボール１００Ｇ１と外箱部段ボール１００Ｇ２とを連結した状態を示す。
【図４２】同上、製品部を上方から外箱部へ押込み完了した状態を示す一部破断面図である。
【図４３】同上、外箱部の蓋を開けて製品部を迫上げる状態を示す。
【図４４】本発明実施例９に係り、包装箱の展開図で製品部段ボール１００Ｅ１である。
【図４５】同上、包装箱の展開図で外箱部段ボール１００Ｅ２である。
【図４６】同上、製品部を上方から外箱部へ押込み完了した状態を示す一部破断面図である。
【図４７】同上、外箱部の蓋を開けて製品部を迫上げる状態を示す。
【図４８】同上、外箱部の底面側から製品収納部を支える状態を示す。
【符号の説明】
【００８５】
１００Ａ１〜１００Ｊ１  製品部段ボール
１００Ａ２〜１００Ｊ２  外箱部段ボール
１００Ｈ３  パット段ボール
１００Ｂ、１００Ｃ、１００Ｆ、１００Ｈ  段ボール
２００Ａ〜２００Ｊ  製品部
３００Ａ〜３００Ｊ  外箱
５００Ａ〜５００Ｊ  包装箱
ＵＤ、ＵＦ、ＵＥ  角状体
ＵＨ、ＵＪ  パット体
ＷＢ、ＷＣ、ＷＦ、ＷＨ、ＷＪ  折畳体
Ａ、Ｂ、Ｃ、Ｄ、Ｅ、Ｆ、Ｇ、Ｈ、Ｊ、Ｋ、Ｌ、Ｍ、Ｎ、Ｐ、Ｑ、Ｒ、Ｔ１、Ｔ２、Ｔ３、Ｔ４  折り目
ＢＢ、ＥＦ、ＧＨ、ＦＨ  畳み折り目
Ｕ１、Ｕ２  折り目
Ｓ１、Ｓ２、Ｓ３、Ｓ４、Ｓ５、Ｓ６、ＪＪ、ＫＫ、ＬＬ、ＭＭ、ＮＮ、  折り目
Ｚ１、Ｚ２、Ｚ３、Ｚ４、Ｚ５、Ｚ６、Ｚ７、Ｚ８、Ｚ９  製品収納部
Ｘ４、Ｙ１、Ｙ２、Ｙ３、Ｙ４、Ｙ５、Ｙ６、Ｙ７、Ｙ８、Ｙ９  付属品収納部
１、  １Ｅ、１Ｆ、１Ｇ、１Ｈ、１Ｊ  側片
１１Ｄ、１１Ｅ、１２Ｄ、１２Ｅ  角状体片
２、２Ｅ、２Ｆ、２Ｇ、２Ｈ、２Ｊ  側片
３、３１Ｂ、３１Ｃ、３Ｄ、３Ｅ、３１Ｈ、３１Ｊ  底片
４、４１Ｂ、４１Ｃ、４１Ｈ、４１Ｊ、４２Ｃ、４３Ｃ、４Ｄ、４Ｅ、５Ｅ、４Ｇ    側片
５、５Ｂ、５Ｆ、５１Ｃ、５２Ｃ  隅片
２１、２１Ｈ、２１Ｊ、２２、２２Ｂ、２２Ｃ、２２Ｈ、２２Ｊ、２２Ｇ、２２Ｂ、２３、２３Ｈ、２３Ｊ、２４、２４Ｂ、２４Ｃ、２５ＧＣ、２７ＧＣ  蓋面
２５、２５Ｇ、２５ＧＡ、２５ＧＢ、２６、２６Ｂ、２６Ｇ、２６Ｈ、２６Ｊ、２７、２７Ｆ、２７Ｇ、２７ＧＡ、２７ＧＢ、２８、２８Ｂ、２８Ｇ、２８Ｈ、２８Ｊ、２９  側面
２８１  貼着片
３１、３１Ｅ、３１Ｈ、３１１Ｊ、３２、３２Ｂ、３２Ｅ、３２Ｆ、３２Ｈ、３２Ｊ、３３、３３Ｅ、３３Ｆ、３３Ｇ、３４、３４Ｂ、３４Ｃ、３４Ｅ、  底面
２２２Ｇ、３３１Ｇ  係止溝
１０２Ｇ  係止孔  
１０１Ｇ、２２１Ｇ、２５２Ｇ、２８３Ｇ、２７２Ｇ、２８４Ｇ  係止片
３１２Ｅ、３３２Ｅ  フラップ
４１Ｅ、４４０Ｈ  、４４０Ｊ  ストッパー
４１１Ｆ、４１１Ｇ、４１１Ｈ、４１１Ｊ  リブ
３５０Ｈ、４５０Ｅ、４５０Ｈ、４５１Ｈ、４５０Ｊ、４５１Ｊ  窓
４６０Ｄ  嵌合部
５１Ｂ、５１Ｈ、５１Ｊ  外辺
６１、６２、６３、２９１、２９２  パット片
【図１】
2008254766.tif 000003
【図２】
2008254766.tif 000004
【図３】
2008254766.tif 000005
【図４】
2008254766.tif 000006
【図５】
2008254766.tif 000007
【図６】
2008254766.tif 000008
【図７】
2008254766.tif 000009
【図８】
2008254766.tif 000010
【図９】
2008254766.tif 000011
【図１０】
2008254766.tif 000012
【図１１】
2008254766.tif 000013
【図１２】
2008254766.tif 000014
【図１３】
2008254766.tif 000015
【図１４】
2008254766.tif 000016
【図１５】
2008254766.tif 000017
【図１６】
2008254766.tif 000018
【図１７】
2008254766.tif 000019
【図１８】
2008254766.tif 000020
【図１９】
2008254766.tif 000021
【図２０】
2008254766.tif 000022
【図２１】
2008254766.tif 000023
【図２２】
2008254766.tif 000024
【図２３】
2008254766.tif 000025
【図２４】
2008254766.tif 000026
【図２５】
2008254766.tif 000027
【図２６】
2008254766.tif 000028
【図２７】
2008254766.tif 000029
【図２８】
2008254766.tif 000030
【図２９】
2008254766.tif 000031
【図３０】
2008254766.tif 000032
【図３１】
2008254766.tif 000033
【図３２】
2008254766.tif 000034
【図３３】
2008254766.tif 000035
【図３４】
2008254766.tif 000036
【図３５】
2008254766.tif 000037
【図３６】
2008254766.tif 000038
【図３７】
2008254766.tif 000039
【図３８】
2008254766.tif 000040
【図３９】
2008254766.tif 000041
【図４０】
2008254766.tif 000042
【図４１】
2008254766.tif 000043
【図４２】
2008254766.tif 000044
【図４３】
2008254766.tif 000045
【図４４】
2008254766.tif 000046
【図４５】
2008254766.tif 000047
【図４６】
2008254766.tif 000048
【図４７】
2008254766.tif 000049
【図４８】
2008254766.tif 000050